(57)【特許請求の範囲】
【請求項１】
ケースと、
前記ケース内に収納設置される複数の発光素子と、
前記ケース内に設置され、前記各発光素子から発射された光をそれぞれの光入射部から入射すると共に、所望の位置に配置したそれぞれの光出射部から出射する導光体と、を具備し、
前記導光体は、前記それぞれの光入射部から前記それぞれの光出射部に向かう透光性の樹脂材からなる複数の光路部と、前記各光路部間を仕切って光学的に遮断する不透光性の樹脂材からなる光遮断部とを、二色成形によって一体成形し、
前記光路部の光の進行方向に向かうその左右両側に前記光遮断部が位置し、
且つ、前記光入射部は、前記導光体の前記発光素子を設置した側の面に露出して設けられ、前記発光素子から光入射部に入射した光は、前記光路部に設けた反射面によって光路部の進行方向に向けて反射されて前記光出射部に導かれ、
前記複数の光路部の内の少なくとも何れかの光路部は、その左右両側の光遮断部から突出することで、前記光路部の左右両側面の一部を露出させると共に、
前記ケースには、前記光遮断部から突出した光路部の部分を覆うことで前記突出した光路部の側面から漏れる光の他の光路部への侵入を防止する遮光部を設けたことを特徴とする照光機能付き電子部品。
【請求項２】
請求項１に記載の照光機能付き電子部品であって、
前記複数の発光素子は、回路基板上に取り付けられ、
さらに、前記導光体は、前記回路基板の前記発光素子を取り付けた周囲を覆って防滴する形状に形成されていることを特徴とする照光機能付き電子部品。
【発明の詳細な説明】
【技術分野】
【０００１】
本発明は、照光機能付き電子部品に関するものである。
【背景技術】
【０００２】
従来、回転式電子部品の中には、例えば特許文献１に示すように、回転式電子部品（１）の回転つまみ（１８０）の外周部分の一部をケース（２０，１５０，３００）に設けた回転つまみ露出部（３０３）から外部に露出し、回転つまみ（１８０）の前記露出した部分を指等で回転操作することで、ケース（２０，１５０，３００）内の図示しない電気的機能部を駆動し、その検出出力を変化させる構造のものがある。
【０００３】
またこの回転式電子部品（１）のケース（２０，１５０，３００）内には、回路基板（６０）と導光板（４０）が収納され、回路基板（６０）上に取り付けた発光素子（７０）から発射された光を、前記導光板（４０）内を通してその光乱反射部（４３）に導いてその表面から回転つまみ（１８０）のつまみ操作部（１８３）の裏面を照明し、これによってつまみ操作部（１８３）に設けた抜き文字等の部分を明るく照らし出していた。
【先行技術文献】
【特許文献】
【０００４】
【特許文献１】特開２０１０−９９３７号公報
【発明の概要】
【発明が解決しようとする課題】
【０００５】
一方、上記のような照光機能付きの回転式電子部品（１）において、回転つまみ（１８０）の部分だけを照明するのではなく、例えば回転つまみ（１８０）の周囲のケース（３００）の所定部分も、前記回転つまみ（１８０）の照明の色彩と異なる色彩で、これを照明したい場合がある。
【０００６】
しかしながら、このような２種類の照明を行う場合は、前記導光板（４０）及び発光素子（７０）とは別に、前記ケース（３００）の所定部分を照明するための発光素子（前記発光素子（７０）とは異なる発光色のもの）と導光板が必要になる。また２つの導光板間を光学的に遮断するための遮蔽板も別途必要になる。これらのことから部品点数が増加して構造が複雑になり、組み立ても煩雑になり、装置の小型化も阻害される恐れがあった。
【０００７】
本発明は上述の点に鑑みてなされたものでありその目的は、複数の発光素子によって複数の部分を照明する構造の電子部品であって、各発光素子から出射された光が混ざり合うことなく所望の位置まで導くことができ、且つ部品点数の増加を抑えることができ、構造が簡単で組み立てが行い易く、さらに装置の小型化も図ることができる照光機能付き電子部品を提供することにある。
【課題を解決するための手段】
【０００８】
本発明にかかる照光機能付き電子部品は、ケースと、前記ケース内に収納設置される複数の発光素子と、前記ケース内に設置され前記各発光素子から発射された光をそれぞれの光入射部から入射すると共に所望の位置に配置したそれぞれの光出射部から出射する導光体と、を具備し、前記導光体は、前記それぞれの光入射部から前記それぞれの光出射部に向かう透光性の樹脂材からなる複数の光路部と、前記各光路部間を仕切って光学的に遮断する不透光性の樹脂材からなる光遮断部とを、二色成形によって一体成形し、前記光路部の光の進行方向に向かうその左右両側に前記光遮断部が位置し、且つ、前記光入射部は、前記導光体の前記発光素子を設置した側の面に露出して設けられ、前記発光素子から光入射部に入射した光は、前記光路部に設けた反射面によって光路部の進行方向に向けて反射されて前記光出射部に導かれ、前記複数の光路部の内の少なくとも何れかの光路部は、その左右両側の光遮断部から突出することで、前記光路部の左右両側面の一部を露出させると共に、前記ケースには、前記光遮断部から突出した光路部の部分を覆うことで前記突出した光路部の側面から漏れる光の他の光路部への侵入を防止する遮光部を設けたことを特徴としている。
導光体は、複数の光路部間を、二色成形によって一体成形した光遮断部によって仕切る構造なので、それぞれの光入射部から入射した光が導光体内で混ざり合うことはなく、所望の位置に配置したそれぞれの光出射部からそれぞれの光を放射することができる。同時に、導光体は１つで且つ簡単な構造に成形できるので、部品点数の増加を抑えることができ、組み立ても容易で、また装置の小型化を図ることもできる。
【０００９】
また上記本発明によれば、光路部の左右両側面からの光の漏れを防止できる。つまり、一旦光路部内に導入された光が、導光体内を通して他の光路部内に侵入することを確実に防止できる。また反射面を設けることで、発光素子から光入射部に入射した光を容易にその光出射部に導くことができる。
【００１０】
また光の反射は、屈折率（絶対屈折率）の大きい方から小さい方に向かう光に対して生じ、両屈折率の差が大きいほど、反射し易い。従って樹脂製の光路部の左右両側面を空気中に露出することで、その面で反射する光の量を多くすることができ、樹脂製の光遮断部と接している側面に比べ、より効率的に光を伝達することができる。
【００１１】
また本発明によれば、上述のように、光路部の左右両側面を空気中に露出させることで、光路部が樹脂製の光遮断部に接している側面に比べ、より効率的に光を伝達することができる。しかし一方で、樹脂製の光遮断部に接している場合、光遮断部側に出射した光は、不透光性の光遮断部に吸収されるため、外部に漏れていくことはないが、空気中に露出している場合、空気中に直接出射した光はそのまま外部に漏れていく。そこで本発明では、遮光部を設けることで、洩れた光が他の光路部へ侵入することを確実に防止した。
【００１２】
また本発明は、上記特徴に加え、前記複数の発光素子が回路基板上に取り付けられ、さらに、前記導光体は、前記回路基板の前記発光素子を取り付けた周囲を覆って防滴する形状に形成されていることを特徴としている。
これによって、回路基板に搭載した発光素子の防滴が導光板によって行われる。即ち、導光板に防滴機能を併せ持たせることができ、別途防滴用の部品を設置する必要が無くなり、これによってさらに部品点数の削減や、構造の簡素化を図ることができる。
【発明の効果】
【００１３】
本発明によれば、複数の発光素子によって複数の部分を照明する構造の照光機能付き電子部品であっても、各発光素子から出射された光を所望の位置まで混ざり合うことなく、導くことができ、同時に部品点数の増加を抑えることができ、構造が簡単で組み立てが容易で、装置の小型化を図ることができる。
【図面の簡単な説明】
【００１４】
【図１】回転式電子部品（照光機能付き電子部品）１の斜視図である。
【図２】回転式電子部品１の分解斜視図である。
【図３】回転式電子部品１の分解斜視図である。
【図４】回転式電子部品１の概略断面図である。
【図５】導光体２００を拡大して第１ケース１０側から見た斜視図である。
【図６】導光体２００を拡大して第２ケース５０側から見た斜視図である。
【図７】導光体２００の第２の光路部２３０部分の要部概略縦断面図である。
【発明を実施するための形態】
【００１５】
以下、本発明の実施形態を図面を参照して詳細に説明する。図１は本発明の一実施形態にかかる回転式電子部品（照光機能付き電子部品）１を上側から見た斜視図、図２は回転式電子部品１の分解斜視図、図３は別の角度から見た回転式電子部品１の分解斜視図、図４は回転式電子部品１の概略断面図（図１のＡ−Ａ概略断面図）である。これらの図に示すように回転式電子部品１は、第１，第２，第３ケース１０，５０，２６０内に回転式電子部品１を構成する各種部品を収納して構成されている。なお以下の説明において、「上」とは第１，第２ケース１０，５０側から第３ケース２６０を見る方向をいい、「下」とはその反対方向をいうものとする。
【００１６】
図１〜図４に示すように回転式電子部品１は、第１ケース１０と第２ケース５０の間に、摺動子１３０を取り付けた回転つまみ１００と、回路基板１５０と、導光体（ライトガイド）２００とを収納し、さらに第１，第２ケース１０，５０の上方から第３ケース２６０を取り付けて構成されている。
【００１７】
第１ケース１０は合成樹脂の成形品であり、上方と第２ケース５０を向く側が解放された略矩形箱型に形成されている。第１ケース１０の内面中央（中央側壁）の上部には、第２ケース５０側に向けて突出する円柱形状の軸部１１が設けられ、また軸部１１の下側の内面上には円弧状のクリック係合部１３が形成されている。軸部１１の中央には軸支孔１７が形成されている。軸支孔１７内は、軸部１１の根元側の部分においてその内径を小さくしている。第１ケース１０の下部の中央側壁には複数本（６本）の端子２１がインサート成形によって取り付けられている。各端子２１はＬ字状に折り曲げられ、一方の端部が下面から下方に向けて三本ずつ二列に突出し、他方の端部が第２ケース５０側に向けて三本ずつ二列に突出している。第１ケース１０の左右両側壁の下方の位置には、第２ケース係止孔２３が貫通して形成されている。また第１ケース１０の左右両側壁の外側面の前記第２ケース係止孔２３の上部の位置には、小突起爪状の第３ケース係止部２５が形成されている。第１ケース１０は、不透光性の樹脂材によって形成するか、あるいは透光性の樹脂材の表面全体に不透光性の塗料を塗布することによってその全体が不透光となるように構成している。
【００１８】
第２ケース５０は合成樹脂の成形品であり、上方が略矩形板状に、下方が略矩形箱型に形成されている。第２ケース５０の左右両壁の前記第１ケース１０の各第２ケース係止孔２３に対向する位置には、外方に向けて突出する係止爪５１が形成されている。第２ケース５０の上部の第１ケース１０側を向く面には、「つ」の字状に屈曲する形状の板状の壁からなる遮光部５３が設けられている。遮光部５３の中央に形成される略溝状の凹部は、下記する導光体２００の突出部２３１を収納する光路部収納部５５となっている。第２ケース５０は、不透光性の樹脂材によって形成するか、あるいは透光性の樹脂材の表面全体に不透光性の塗料を塗布することによってその全体が不透光となるように構成している。
【００１９】
回転つまみ１００は合成樹脂を略円柱形に成形した成形品であり、その外周面の一部分（約半周）をつまみ操作面１０１としている。回転つまみ１００の中央には前記第１ケース１０の軸支孔１７に回動自在に挿入する円柱状の軸部１０３が形成されている。軸部１０３の中央にはビス挿通孔１０５が形成され、その内部に内径寸法を小さくする部分を設けることで段部１０７（図４参照）を形成している。回転つまみ１００の第２ケース５０側の面は、摺動子取付面１０９となっており、この摺動子取付面１０９には２つの小突起状の係止部１１１が設けられている。そして回転つまみ１００の摺動子取付面１０９の周囲（つまみ操作面１０１の内側）には円弧状の溝１１３が形成されている。さらに回転つまみ１００の第１ケース１０側の面の下部には、円形の凹部からなるクリック部材挿入穴１１５が形成されている。また回転つまみ１００は、不透光性の樹脂材によって形成するか、あるいは透光性の樹脂材の表面全体に不透光性の塗料を塗布することによってその全体が不透光となるように構成している。但し、つまみ操作面１０１の表面には、文字や記号や図形等からなる照明部分１１７が形成されており、この照明部分１１７は、つまみ操作面１０１の裏面側から表面側に向けて光を通す構成になっている。即ち、回転つまみ１００を不透光性の樹脂材によって形成した場合は、照明部分１１７の形状の貫通孔に透明樹脂材を二色成形等を用いて埋めたり、あるいは回転つまみ１００を透光性の樹脂材の表面全体に不透光性の塗料を塗布することによってその全体を不透光性として構成した場合は、前記不透光性の塗料の一部を照明部分１１７の形状にレーザーカット等によって取り除いたりする。
【００２０】
摺動子１３０は弾性金属板製であり、基部１３１から３本の摺動冊子１３３を突出して構成されている。基部１３１には２つの小孔からなる取付部１３５が形成されている。
【００２１】
回路基板１５０は硬質基板１５１の両面に回路パターン（説明に必要なもの以外は記載を省略している）を形成して構成されている。回路基板１５０の第１ケース１０側の面の上部には、円弧状の３本の摺接パターン１５３を形成している。摺接パターン１５３は回転つまみ１００の回転中心軸を中心としてこれを囲むリング状に配置される。３本の摺接パターン１５３は、それぞれコモンパターンとスイッチパターンと抵抗体パターンで構成されている。なお摺接パターン１５３の種類や形状等に種々の変更が可能であることは言うまでもない。
【００２２】
回路基板１５０の第２ケース５０側の面には、複数の電子部品１５５（１５５ａ〜ｆ）が取り付けられている。各電子部品１５５ａ〜ｆはチップ型の電子部品であり、その内の電子部品１５５ａと電子部品１５５ｂは発光素子である。これら電子部品１５５ａ、１５５ｂの発光色は、この例では異なる色となっている。他の電子部品１５５ｃ〜ｆは例えば固定抵抗器やコンデンサやダイオードや半導体素子等である。回路基板１５０の下部には、３つずつ２列並ぶ小孔からなる端子取付孔１５７が形成されており、それらの周囲には半田付け用のランド部１５９が形成されている。
【００２３】
図５は導光体２００を拡大して第１ケース１０側から見た斜視図、図６は導光体２００を拡大して第２ケース５０側から見た斜視図である。図５，図６に示すように導光体２００は、合成樹脂の成形品であって、二色成形によって、２種類の合成樹脂を一体に成形して構成されている。即ち、導光体２００は、透光性の樹脂材からなる第１，第２の光路部２１０，２３０と、不透光性（非透明）の樹脂材からなる光遮断部２５０とを二色成形によって一体成形して構成されている。図５，図６において、不透光性の部分（光遮断部２５０の部分）は、網掛け部分である。透光性の樹脂材としては、例えば透明なアクリル樹脂、透明なポリカーボネート樹脂等が使用できる。また不透光性の樹脂としては、例えば不透光性のＡＢＳ樹脂等が使用できる。導光体２００は、回路基板１５０側の面を解放した略箱型に形成され、その外周側壁２０１の内側根元部分に、外周側壁２０１にほぼ沿うように全周にわたって当接部２０３を設けている。当接部２０３は、回路基板１５０の電子部品１５５を取り付けた側の面の全周を囲む回路基板面に当接する形状に形成されている。このため導光体２００に回路基板１５０を装着した際は、回路基板１５０は導光体２００の当接部２０３上に当接して支えられ、その外周は外周側壁２０１に囲まれる。言い換えれば、導光体２００は、回路基板１５０の一方の面上の電子部品１５５を覆って防滴する構造に構成されている。
【００２４】
第１の光路部２１０は、略扇板形状に形成され、その上辺（先端部）から第１ケース１０側に向けて、照光部２１１を突出している。照光部２１１は略円弧板状であり、前記回転つまみ１００の溝１１３に挿入される寸法に形成されている。照光部２１１の上面は、第１の光出射部２１３となっている。第１の光路部２１０の下部中央の第２ケース５０側を向く面には、横断面Ｖ字状で横長の凹部からなる反射面２１５が形成されている。また反射面２１５の表裏反対側の面の前記発光素子１５５ａに対向する位置（面）には、集光用の横長の半円柱型レンズからなる第１の光入射部（集光部）２１７が形成されている。また照光部２１１の根元側と先端側にも反射面２１９，２２１が形成されている。これら反射面２１５，２１９，２２１は、第１の光入射部２１７から入射した光を反射して、照光部２１１の第１の光出射部２１３から出射させる位置に配置されている。
【００２５】
一方、第２の光路部２３０は、略棒状に形成され、その先端部は略四角柱状の突出部２３１が周囲の光遮断部２５０から突出し、その先端面を第２の光出射部２３３としている。図７は、導光体２００の第２の光路部２３０部分の要部概略縦断面図（図６のＢ−Ｂ概略断面図）である。図６，図７に示すように、第２の光路部２３０は、略四角柱状であって、その途中において導光体２００の表面（即ち、第２の光路部２３０の左右両側の光遮断部２５０の表面）から離れる方向に突出するように、２回逆方向に屈曲させている。突出した中間部分（突出部分２３４）は、図６に示すように、周囲の光遮断部２５０の表面と平行になっており、また突出部分２３４の左右両側面は、空気中に露出する露出側面２３５となっている。第２の光路部２３０の屈曲している部分には、図７に示すように、３つの反射面２３７，２３９，２４１が形成され、またその一端部には、集光用の半円柱型レンズからなる第２の光入射部（集光部）２４３が形成されている。第２の光入射部２４３は、導光体２００の内側面側（第２の発光素子１５５ｂを設置した面側）に露出している。上記反射面２３７，２３９，２４１は、第２の光入射部２４３から入射した光を反射して、第２の光出射部２３３から出射させる位置に形成されている。
【００２６】
次に光遮断部２５０は、上記第１，第２の光路部２１０，２３０以外の導光体２００の部分を構成している。光遮断部２５０は、光を吸収し易い、例えば黒色又はそれに近い色彩で構成されている。光遮断部２５０は、第１，第２の光路部２１０，２３０の光の進行方向に向かうその左右両側に密着して位置している。さらに言えば、第１の光路部２１０は、その表裏面は光遮断部２５０から露出しており、左右両側面は光遮断部２５０が密着している。一方、第２の光路部２３０は、その裏面側の面（回路基板１５０に対向する側の面）と左右両側面の一部（裏面側に近い側の部分）とが光遮断部２５０に密着し、また上述のように、第２の光路部２３０の左右両側の光遮断部２５０から突出している露出側面２３５と表面側の面とは、光遮断部２５０から露出している。また光遮断部２５０の前記第２の光入射部２４３の周囲を囲むように、光遮蔽部２５１が形成されている。この光遮蔽部２５１内には発光素子１５５ｂが収納され、光遮蔽部２５１の先端辺が回路基板１５０に当接することで、２つの発光素子１５５ａ，１５５ｂ間の光を遮断する。
【００２７】
以上の構成によって、導光体２００は、第１，第２の光路部２１０，２３０間を仕切って光学的に遮断するように、不透光性の樹脂材からなる光遮断部２５０を形成しているばかりか、第１，第２の光路部２１０，２３０の対向しない側の側面（外側の側面）にも光遮断部２５０を形成している。
【００２８】
次に、第３ケース２６０は、合成樹脂の成形品であり、下方が解放された略矩形箱型に形成されている。第３ケース２６０の上面には横長で略矩形状の開口２６１が形成されており、また第３ケース２６０の上面の開口２６１に隣接する位置には、略矩形状の小孔からなる挿入孔２６３が形成されている。また第３ケース２６０は、不透光性の樹脂材によって形成するか、あるいは透光性の樹脂材の表面全体に不透光性の塗料を塗布することによってその全体が不透光となるように構成している。一方、第３ケース２６０の上面の中央付近には、裏面側から表面側に向かう光を透す照明部分２６５が形成されている。即ち、第３ケース２６０を不透光性の樹脂材によって形成した場合は、照明部分２６５の形状の貫通孔に透明樹脂材を二色成形等を用いて埋めたり、あるいは第３ケース２６０を透光性の樹脂材の表面全体に不透光性の塗料を塗布することによってその全体を不透光に構成した場合は、前記不透光性の塗料の一部を照明部分２６５の形状にレーザーカット等によって取り除いたりする。また第３ケース２６０の左右両側壁には、前記第１ケース１０の各第３ケース係止部２５に係止される小孔からなる係止部２６７が形成されている。
【００２９】
回転式電子部品１を組み立てるには、まず予め、回転つまみ１００の摺動子取付面１０９に摺動子１３０の基部１３１を当接し、その際回転つまみ１００の各係止部１１１を摺動子１３０の各取付部１３５に挿入し、各係止部１１１の先端を熱カシメすることで取り付けておく。
【００３０】
そして回転つまみ１００のクリック部材挿入穴１１５にコイルばね２７０とクリック用ボール２７１とを挿入した状態で、第１ケース１０内に回転つまみ１００を挿入し、その際、第１ケース１０の軸支孔１７に回転つまみ１００の軸部１０３を回動自在に挿入する。そして、回転つまみ１００のビス挿通孔１０５にビス２９０を挿入し、その先端側部分を第１ケース１０の軸支孔１７の軸部１１とは反対側の面に配置したリング状の抜け止め板２８０の挿通孔２８１に挿通し、その先端をかしめる。これによって、回転つまみ１００は第１ケース１０に回動自在に取り付けられる。このときクリック用ボール２７１は第１ケース１０のクリック係合部１３に弾接する。
【００３１】
次に、第１ケース１０内に回路基板１５０を収納して取り付ける。このとき、回転つまみ１００に取り付けた摺動子１３０の摺動冊子１３３が、回路基板１５０の摺接パターン１５３に弾接する。これら摺動子１３０と摺接パターン１５３が検出手段を構成する。同時にこのとき第１ケース１０にインサート成形された複数本の端子２１の第２ケース５０側を向く各端部が回路基板１５０の各端子取付孔１５７に挿入されてその反対側から突出する。そして突出した各端子２１の端部とランド部１５９間を半田３００（図４参照）によって半田付けする。
【００３２】
次に、第１ケース１０内に、導光体２００を収納して取り付ける。このとき、導光体２００は回路基板１５０の全周を覆い、その当接部２０３が回路基板１５０の電子部品１５５を取り付けた側の面の全周を囲む回路基板面に当接する。またこのとき、導光体２００の照光部２１１は、回転つまみ１００の溝１１３内に挿入される。つまり照光部２１１は回転つまみ１００のつまみ操作面１０１の背面側に位置する。
【００３３】
次に、前記第１ケース１０の回路基板１５０等を取り付けた側に第２ケース５０を被せ、第２ケース５０の各係止爪５１を第１ケース１０の各第２ケース係止孔２３にスナップイン形式で係合し、これによって第１，第２ケース１０，５０を一体化する。このとき第２ケース５０の光路部収納部５５内に、導光体２００の突出部２３１が収納される。
【００３４】
次に、第３ケース２６０を第１，第２ケース１０，５０の上部に被せて挿入し、第１ケース１０の各第３ケース係止部２５を第３ケース２６０の各係止部２６７にスナップイン形式で係止し、これによって第１，第２，第３ケース１０，５０，２６０（これらを合わせて「ケース」という）を一体化する。このとき回転つまみ１００のつまみ操作面１０１の一部は第３ケース２６０の開口２６１から露出する。また第３ケース２６０の挿入孔２６３に導光体２００の突出部２３１が挿入され、その第２の光出射部２３３が露出する。これによって回転式電子部品１が完成する。なお上記組立手順はその一例であり、他の各種異なる組立手順を用いて組み立てても良いことはいうまでもない。
【００３５】
以上のようにして組み立てられた回転式電子部品１において、開口２６１に露出するつまみ操作面１０１を指等で操作することで回転つまみ１００を回転すると、摺動子１３０の摺動冊子１３３が回路基板１５０の摺接パターン１５３上を摺動し、その検出出力が変化する。同時にクリック用ボール２７１が第１ケース１０のクリック係合部１３の凹凸に係合・離脱することでクリック感触を生じる。
【００３６】
そして、発光素子１５５ａを点灯すると、その光の多くは真上方向（回路基板１５０の表面に垂直な方向）に進み、第１の光入射部２１７から第１の光路部２１０内に入射する。入射の際、多くの光は第１の光入射部２１７で集光され、その後反射面２１５で反射されて第１の光路部２１０内を上方に進み、さらに反射面２１９で反射されて照光部２１１方向に向かい、さらに反射面２２１でも反射されることで照光部２１１の上面、即ち第１の光出射部２１３からその上方に光が出射する。即ち、第１の光入射部２１７から入射した光は、第１の光路部２１０に設けた反射面２１５，２１９，２２１によって第１の光路部２１０の進行方向に向けて反射されて第１の光出射部２１３に導かれる。これによって第３ケース２６０（その上面）と回転つまみ１００のつまみ操作面１０１とをその背面側から照明して、第３ケース２６０の照明部分２６５と、回転つまみ１００の照明部分１１７とを明るく照らし出す。
【００３７】
一方、発光素子１５５ｂを点灯すると、図７に示すように、その光の多くは真上方向（回路基板１５０の表面に垂直な方向）に進み、第２の光入射部２４３から第２の光路部２３０内に入射する。入射の際、多くの光は第２の光入射部２４３で集光され、その後反射面２３７で反射されて第２の光路部２３０内を上方に進み、さらに反射面２３９と反射面２４１で反射されて突出部２３１方向に向かい、その上面、即ち第２の光出射部２３３からその上方に光が出射する。即ち、第２の光入射部２４３から入射した光は、第２の光路部２３０に設けた反射面２３７，２３９，２４１によって第２の光路部２３０の進行方向に向けて反射されて第２の光出射部２３３に導かれる。これによって第３ケース２６０の挿入孔２６３から露出する第２の光出射部２３３を明るく照らし出す。
【００３８】
ところで、図５，図６に示すように、導光体２００は、１つの成形体ではあるが、第１，第２の光路部２１０，２３０間を、二色成形によって一体成形した光遮断部２５０によって仕切っているので、第１，第２の光入射部２１７，２４３から入射した光が導光体２００の内部で混ざり合うことはなく、それぞれ第１，第２の光出射部２１３，２３３からそれぞれの光を放射する。同時に、導光体２００は１つで且つ簡単な構造に成形できるので、部品点数の増加を抑えることができ、組み立ても容易で、また装置の小型化を図ることもできる。
【００３９】
特にこの導光体２００においては、第１，第２の光路部２１０，２３０の光の進行方向に向かうその左右両側に光遮断部２５０が位置しているので、第１，第２の光路部２１０，２３０の左右両側面からの光の漏れを何れも防止できる。つまり、一旦第１，第２の光路部２１０，２３０内に導入された光が、導光体２００内を通して他方の光路部内に、侵入することを確実に防止できる。
【００４０】
また光の反射は、屈折率（絶対屈折率）の大きい方から小さい方に向かう光に対して生じ、両屈折率の差が大きいほど、反射し易い。従って樹脂製の第２光路部２３０の左右両側面を空気中に露出する露出側面２３５とすることで、その面で反射する光の量を多くすることができ、樹脂製の光遮断部２５０と接している側面に比べ、より効率的に光を第２の光出射部２３３に伝達することができる。しかし一方で、樹脂製の光遮断部２５０に接している場合、光遮断部２５０側に出射した光は、不透光性の光遮断部２５０に吸収されるため、外部に漏れていくことはないが、空気中に露出している場合、空気中に直接出射した光はそのまま外部に漏れていく。そこで本発明では、導光体２００の突出部分２３４全体を第２ケース５０に設けた光路部収納部５５（図２参照）内に収納し、これによって、突出部分２３４の上面と左右の露出側面２３５を、第２ケース５０の面と遮光部５３によって覆っている（遮光部５３の先端辺は導光体２００の光遮断部２５０の面に当接している）。このため、突出部分２３４から洩れた光がもう一方の光路部２１０へ侵入することが確実に防止される。また第２の光路部２３０の下面も光遮断部２５０によって覆われている（即ち、第２の光路部２３０は、その外周側面全てが光遮断部２５０及び第２ケース５０によって覆われている）ので、第２の光路部２３０の外周側面から漏れた光が第１の光路部２１０に入射することはなく、同時に第１の光路部２１０から漏れた光が第２の光路部２３０に入射することもない。さらに上述のように、発光素子１５５ｂの周囲は光遮断部２５０の光遮蔽部２５１で覆われるので、この点からも発光素子１５５ａの光が第２の光入射部２４３に入ったり、発光素子１５５ｂの光が第１の光入射部２１７に入ったりすることを防止できる。
【００４１】
一方、第３ケース２６０の上部に水（液体）が掛かった場合、水は、第３ケース２６０の開口２６１と回転つまみ１００のつまみ操作面１０１の間の隙間からケース内に浸入する。浸入した水の一部は、回路基板１５０の電子部品１５５を搭載した一方の面側に浸入しようとするが、回路基板１５０の表面は導光体２００によって覆われているので、回路基板１５０の表面に水が浸入することはなく、導光体２００の外側表面を伝って流れてゆく。このように導光体２００によって覆われているので、電子部品１５５への水の浸入を防止することができる。即ちこの回転式電子部品１においては、導光板２００に、回路基板１５０に搭載した第１，第２発光素子１５５ａ，ｂ等の各種電子部品１５５の防滴機能を併せ持たせている。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では第１，第２，第３ケースの３部品によってケースを構成したが、ケースは１部品または３部品以外の複数の部品で構成しても良い。また導光体の形状や構造も種々の変更が可能である。例えば上記例では導光体によって回路基板の一方の面の全てを覆う構造としたが、一部を覆う構造としても良い。即ち例えば導光体は、回路基板に搭載した複数の発光素子等をまとめて覆うように取り付けられていればよい。また上記例では、第１，第２の光路部の光の進行方向に向かうその左右両側に光遮断部を形成したが、場合によっては、隣接する光路部の間を仕切る位置のみに光遮断部を形成してもよい。また第１の光路部について、突出部分を設けてその左右両側面を空気に露出しても良い。また突出部分の代りに光路部の側面に溝を設け、溝内に光路部の側面を露出させても良い。また上記例では２つの光路部を設けたが、３つ以上の複数の光路部を設けても良い。また上記例では、第２ケースと一体に遮光部（光路部収納部）を設けたが、第２ケースと一体にせず、個別に（別体として）遮光部（光路部収納部）を設けても良い。また上記例では、本発明を回転式電子部品に適用した場合を示したが、本発明は回転式電子部品に限られず、他の各種照光機能付き電子部品に対しても適用できる。
【符号の説明】
【００４３】
１  回転式電子部品（照光機能付き電子部品）
１０  第１ケース（ケース）
５０  第２ケース（ケース）
５３  遮光部
１００  回転つまみ
１３０  摺動子
１５０  回路基板
１５５ａ  第１の発光素子（電子部品）
１５５ｂ  第２の発光素子（電子部品）
２００  導光体
２１０  第１の光路部
２１３  第１の光出射部
２１５，２１９，２２１  反射面
２１７  第１の光入射部
２３０  第２の光路部
２３３  第２の光出射部
２３５  露出側面
２３７，２３９，２４１  反射面
２４３  第２の光入射部
２５０  光遮断部
２６０  第３ケース（ケース）
【図１】
0006400434.tif 000002
【図２】
0006400434.tif 000003
【図３】
0006400434.tif 000004
【図４】
0006400434.tif 000005
【図５】
0006400434.tif 000006
【図６】
0006400434.tif 000007
【図７】
0006400434.tif 000008